(57)【要約】【課題】乗りかごの移動に伴って伝送距離が変化しても、高い映像品質をもつエレベータ用情報を表示することにある。【解決手段】乗りかご外側に第１の送信機５ａ及び第１の受信機５ｂとを併設し、またこれら第１の送信機及び第１の受信機と互いに対峙するように昇降路下部側に第２の受信機６ａ及び第２の送信機６ｂとを併設固定し、かご移動に伴う送受信機間の伝送距離の変化に対し、かご内監視カメラ４で撮影されるアナログ映像情報を第１の送信機から光伝送にて送信し、この第２の受信機で受信されるアナログ映像情報から受信レベル信号を取り出し、かご位置情報を計測し、第２の送信機及び第１の受信機を介して第１の送信機にフィードバックする。第１の送信機は、かご位置情報に基づき、所要の受信強度となるような送信出力強度で映像情報を制御し送信するエレベータ用情報伝送システムである。【選択図】    図１
2005047650.tif 000002
【特許請求の範囲】
【請求項１】
昇降路内を移動する乗りかごと昇降路下部又は昇降路上部とに対峙するように設置され、エレベータ用情報を光伝送にて送信する第１の送信機及び当該第１の送信機から伝送されてくるエレベータ用情報から受信レベル信号を取り出し、この受信レベル信号からかご位置情報を算出する第１の受信機と、
この第１の受信機に併設され、当該受信機で算出されるかご位置情報をディジタル情報に変換し、光伝送にて送信する第２の送信機及び前記第１の送信機に併設され、前記第２の送信機から伝送されてくるかご位置情報を受信し、前記第１の送信機に渡す第２の受信機とを備え、
前記第１の送信機は、前記第２の受信機から渡されたかご位置情報に基づいて前記エレベータ用情報の送信出力を制御することを特徴とするエレベータ用情報伝送システム。
【請求項２】
請求項１に記載するエレベータ用情報伝送システムにおいて、
前記第１の送信機から送信されるエレベータ用情報は、前記乗りかご内に設置される監視カメラで撮影された映像情報である場合、
前記乗りかご外の所要とする場所に設置され、前記第１の受信機で受信されたエレベータ用情報を記録する情報記録装置と、この情報記録装置に記録された情報を表示する表示機とを設けたことを特徴とするエレベータ用情報伝送システム。
【請求項３】
昇降路内を移動する乗りかごと昇降路下部又は昇降路上部とに対峙するように設置され、第１のエレベータ用情報を光伝送にて送信する第１の送信機及び当該第１の送信機から伝送されてくるエレベータ用情報から受信レベル信号を取り出し、この受信レベル信号からかご位置情報を算出する第１の受信機と、
昇降路外部から第２のエレベータ用情報を発生する機器と、
前記乗りかご内に設置されるかご内表示機と、
前記第１の受信機に併設され、当該受信機から受け取るかご位置情報に基づいて前記機器から受け取る第２のエレベータ用情報の送信出力を制御し光伝送にて送信する第２の送信機及び前記第１の送信機に併設され、前記第２の送信機から伝送されてくる第２のエレベータ用情報を受信し前記かご内表示機に表示する第２の受信機とを備えたことを特徴とするエレベータ用情報伝送システム。
【請求項４】
昇降路内を移動する乗りかごと昇降路下部又は昇降路上部とに対峙するように設置され、乗りかご内に設置される監視カメラで撮影される映像情報を光伝送にて送信する第１の送信機及び当該第１の送信機から伝送されてくる映像情報を受信する第１の受信機と、
前記乗りかご外の所要とする場所に設置され、前記第１の受信機で受信される映像情報を記録する映像記録装置と、
前記第１の受信機に併設され、所定の送信出力のパイロット信号を光伝送にて送信する第２の送信機及び前記第１の送信機に併設され、前記第２の送信機から伝送されてくるパイロット信号から受信レベル信号を取出し、この受信レベル信号からかご位置情報を算出し、前記第１の送信機に渡す第２の受信機とを備え、
前記第１の送信機は、前記パイロット信号から取得されるかご位置情報に基づいて前記監視カメラで撮影される映像情報の送信出力を制御することを特徴とするエレベータ用情報伝送システム。
【請求項５】
昇降路内を移動する乗りかごと昇降路下部又は昇降路上部とに対峙するように設置され、所定の送信出力のパイロット信号を光伝送にて送信する第１の送信機及び第１の送信機から伝送されてくるパイロット信号から受信レベル信号を取出し、この受信レベル信号からかご位置情報を算出する第１の受信機と、
昇降路外部から第２のエレベータ用情報を発生する機器と、
前記乗りかご内に設置されるかご内表示機と、
前記第１の受信機に併設され、当該受信機から受け取るかご位置情報に基づいて前記機器から受け取る第２のエレベータ用情報の送信出力を制御し光伝送にて送信する第２の送信機及び前記第１の送信機に併設され、前記第２の送信機から伝送されてくる第２のエレベータ用情報を受信し前記かご内表示機に表示する第２の受信機とを備えたことを特徴とするエレベータ用情報伝送システム。
【請求項６】
昇降路内を移動する乗りかごと昇降路下部又は昇降路上部とに対峙するように設置され、第１のエレベータ用情報を光伝送にて送信する第１の送信機及び当該第１の送信機から伝送されてくるエレベータ用情報から受信レベル信号を取り出し、この受信レベル信号からかご移動方向及びかご移動距離を含む第１のかご位置情報を算出する第１の受信機と、
昇降路外部から第２のエレベータ用情報を発生する機器と、
前記乗りかご内に設置されるかご内表示機と、
前記第１の受信機に併設され、前記機器から発生する第２のエレベータ用情報又は所定の送信出力のパイロット信号に前記第１の受信機で算出されたかご位置情報のディジタル化した第１のかご位置情報を重畳し、光伝送にて送信する第２の送信機及び前記第１の送信機に併設され、当該第２の送信機から伝送されてくる第２のエレベータ用情報又は所定の送信出力のパイロット信号を受信し、その受信レベル信号からかご移動方向及びかご移動距離を含む第２のかご位置情報を取り出し、また前記重畳された前記第１のかご位置情報とを取り出す第２の受信機とを備え、
当該第２の受信機又は前記第１の送信機は、前記第１及び第２のかご位置情報のかご移動方向を比較し、かご移動方向が一致する場合に当該第１及び第２のかご位置情報に含む移動距離を平均化し、
さらに、前記第１の送信機は、前記平均化された移動距離のかご位置情報に基づいて前記第１のエレベータ用情報の送信出力を制御することを特徴とするエレベータ用情報伝送システム。
【請求項７】
請求項１ないし請求項６の何れか一項に記載のエレベータ用情報伝送システムにおいて、
予めテーブルに前記かご位置情報と前記送信機の送信出力との関係を規定し、当該かご位置情報に基づいて前記テーブルから送信出力を取り出すことを特徴とするエレベータ用情報伝送システム。
【請求項８】
請求項１ないし請求項７の何れか一項に記載のエレベータ用情報伝送システムにおいて、
予め乗りかごの全移動距離を所定の移動距離範囲ごとに複数の送信出力を定め、前記かご位置情報のかご移動距離に基づいて何れかの送信出力を選択し、この選択した送信出力のもとに前記送信機を調整することを特徴とするエレベータ用情報伝送システム。
【発明の詳細な説明】
【０００１】
【発明の属する技術分野】
本発明は、エレベータの乗りかごと昇降路下部のピット又は昇降路上部の機械室近傍との間で映像情報などを伝送するエレベータ用情報伝送システムに関する。
【０００２】
【従来の技術】
従来、エレベータ用映像情報を伝送し表示する場合、幾つかのエレベータ用情報伝送システムが提案されている。
【０００３】
その１つは、高層建物内のテナント案内、エレベータかご内防犯その他の目的等から、乗りかご内に映像表示機を設置し、外部からエレベータ乗りかご内に映像情報を伝送して表示し、エレベータ利用者に必要な情報を提供している。
【０００４】
ところで、外部から映像情報を乗りかご内に伝送する場合、乗りかごの移動軸延長上に送信機と受信機とを対向設置し、指向性のある光を利用し、ワイヤレス伝送により映像情報などを送信し、受信機を介して映像表示機に表示するものである。
【０００５】
このような情報伝送手段は、映像情報を光によるワイヤレス伝送により伝送することから、映像情報を伝送するために使用される同軸ケーブルなどを敷設する必要がなく、屋外や屋内の見とおしのできる２点に相対する向きで送信機及び受信機を設置するだけで簡易に映像情報などを伝送できる。
【０００６】
他の１つは、エレベータ乗りかご側にブラケットを介して取り付けた送信機と、当該送信機の軸延長上である昇降路下部（ピット）又は機械室側にブラケットを介して取り付けた受信機とを対峙させるとともに、乗りかご内に監視カメラを取り付け、この監視カメラで撮影された映像情報を送信機から光信号にて受信機に伝送し、この受信された映像情報を乗りかご上部の映像記録装置に記録する構成である（特許文献１参照）。
【０００７】
【特許文献１】
特開２００１−１９３０３号公報（図１参照）。
【０００８】
【発明が解決しようとする課題】
ところで、前者の情報伝送システムでは、エレベータ乗りかご側に送信機又は受信機が設置されているので、乗りかごの移動に伴って映像情報などの伝送距離が変化してしまう問題がある。特に、近年益々建物の高層化が進み、送信機と受信機との伝送距離が長くなる傾向にあることから、送信機と受信機の伝送距離という仕様から考えた場合、少なくとも２ｍから１００ｍ或いは１５０ｍにわたる乗りかごの移動に伴う伝送距離の変化に対応する必要がある。
【０００９】
しかし、実際的には、受信機が２ｍの近距離範囲内において必要以上の光電流が流れないように、送信機の送信出力を制限する方法がとられているので、乗りかごの移動に伴って映像がにじんだり、映像のピントずれが発生したり、さらに伝送距離が長くなるとノイズが発生するなど、受信機の受信感度が悪くなり、乗りかごが最上階の方向に移動するに従い、映像表示機の映像品質が極端に低下する問題がある。
【００１０】
また、後者の情報伝送システム（特許文献１）では、乗りかご内の映像情報を映像記録装置に記録するものであるが、乗りかごの移動に伴って送信機と受信機との伝送距離が大きく変化することから、前者のシステムと同様な問題が生ずる。
【００１１】
さらに、前二者のシステムに共通する点は、適用可能な最大距離が短いことから、建物の高層化に十分に対応できない問題がある。
【００１２】
本発明は上記事情に鑑みてなされたもので、エレベータ乗りかごの移動に伴って伝送距離が変化しても、安定した状態でエレベータ用情報を伝送し、映像品質を保持しつつエレベータ用情報を表示するエレベータ用情報伝送システムを提供することを目的とする。
【００１３】
【課題を解決するための手段】
（１）  上記課題を解決するために、本発明は、昇降路内を移動する乗りかごと昇降路下部又は昇降路上部とに対峙するように設置され、エレベータ用情報を光伝送にて送信する第１の送信機及び当該第１の送信機から伝送されてくるエレベータ用情報から受信レベル信号を取り出し、この受信レベル信号からかご位置情報を算出する第１の受信機と、
この第１の受信機に併設され、当該受信機で算出されるかご位置情報をディジタル情報に変換し、光伝送にて送信する第２の送信機及び前記第１の送信機に併設され、前記第２の送信機から伝送されてくるかご位置情報を受信し、前記第１の送信機に渡す第２の受信機とを備え、
前記第１の送信機は、前記第２の受信機から渡されたかご位置情報に基づいて前記エレベータ用情報の送信出力を制御するエレベータ用情報伝送システムである。
【００１４】
この発明は以上のような構成とすることにより、第１の受信機が第１の送信機から伝送されてくるエレベータ用情報の受信レベルを計測し、この受信レベルからかご位置情報を算出し、第２の送信機及び第１の受信機を経由させて第１の送信機にフィードバックするので、第１の受信機では、かご位置情報から送受信機間の伝送距離を推測できるので、この伝送距離に応じてエレベータ用情報の送信出力強度を所要の受信条件となるように制御することが可能となり、ひいては送受信機間の伝送距離が変化しても、第１の受信機によるエレベータ用情報の受信条件を一定に保持可能となり、均一の映像品質をもつエレベータ用情報を表示できる。
【００１５】
なお、第１の受信機で受信されたエレベータ用情報を記録する情報記録装置及び表示機を乗りかご外の例えば監視センタ又は管理室等に設置すれば、例えば乗りかごの移動時にかご内の映像情報を監視センタ又は管理室等で鮮明な画像の状態で見ることができる。
【００１６】
（２）  また、本発明は、昇降路内を移動する乗りかごと昇降路下部又は昇降路上部とに対峙するように設置され、エレベータ用情報を光伝送にて送信する第１の送信機及び当該第１の送信機から伝送されてくる第１のエレベータ用情報から受信レベル信号を取り出し、この受信レベル信号からかご位置情報を算出する第１の受信機と、昇降路外部から第２のエレベータ用情報を発生する機器と、前記乗りかご内に設置されるかご内表示機と、前記第１の受信機に併設され、当該受信機から受け取るかご位置情報に基づいて前記機器から受け取る第２のエレベータ用情報の送信出力を制御し光伝送にて送信する第２の送信機及び前記第１の送信機に併設され、前記第２の送信機から伝送されてくる第２のエレベータ用情報を受信し前記かご内表示機に表示する第２の受信機とを設ければ、乗りかごの移動時に第２の送信機から第２の受信機に向けて所要の受信条件となるような送信出力強度で外部から入力される第２のエレベータ用情報を送信し、かご内の表示機に表示することが可能となる。
【００１７】
なお、常時、第２の送信機から所定の送信出力のパイロット信号を第２の受信機に向けて送信する構成とすれば、第２の受信機は、そのパイロット信号の受信レベルからかご位置情報を算出し、第１の送信機に渡すようにすれば、乗りかごの位置情報をより正確に算出でき、よって第１の送信機は、当該かご位置情報に基づいてエレベータ用情報の送信出力強度を制御しつつ送信することが可能である。
【００１８】
逆に、外部から入力されるメッセージを含む映像情報などのエレベータ用情報をかご内表示機に表示する場合、第１の送信機から所定の送信出力強度のパイロット信号を送信し、第１の受信機でパイロット信号の受信レベルからかご位置情報を算出し、第２の送信機に渡すようにすれば、第２の送信機は、外部から入力されるメッセージを含む映像情報などのエレベータ用情報の送信出力強度を制御しながら送信し、乗りかご内の表示機に表示することも可能である。
【００１９】
（３）  さらに、本発明は、昇降路内を移動する乗りかごと昇降路下部又は昇降路上部とに対峙するように設置され、第１のエレベータ用情報を光伝送にて送信する第１の送信機及び当該第１の送信機から伝送されてくるエレベータ用情報から受信レベル信号を取り出し、この受信レベル信号からかご移動方向及びかご移動距離を含む第１のかご位置情報を算出する第１の受信機と、昇降路外部から第２のエレベータ用情報を発生する機器と、前記乗りかご内に設置されるかご内表示機と、前記第１の受信機に併設され、前記機器から発生する第２のエレベータ用情報又は所定の送信出力のパイロット信号に前記第１の受信機で算出されたかご位置情報のディジタル化した第１のかご位置情報を重畳し、光伝送にて送信する第２の送信機及び前記第１の送信機に併設され、当該第２の送信機から伝送されてくる第２のエレベータ用情報又は所定の送信出力のパイロット信号を受信し、その受信レベル信号からかご移動方向及びかご移動距離を含む第２のかご位置情報を取り出し、また前記重畳された前記第１のかご位置情報とを取り出す第２の受信機とを設け、かつ、第２の受信機又は第１の送信機は、前記第１及び第２のかご位置情報のかご移動方向を比較し、かご移動方向が一致する場合に当該第１及び第２のかご位置情報に含む移動距離を平均化し、さらに、第１の送信機は、平均化された移動距離のかご位置情報に基づいて第１のエレベータ用情報の送信出力を制御する構成とすれば、第１及び第２のエレベータ用情報をそれぞれ所要の送信出力強度で制御することが可能である。
【００２０】
（４）  なお、テーブルにかご位置情報と送信機の送信出力との関係を規定し、当該かご位置情報に基づいてテーブルから送信出力を取り出すとか、或いは予め乗りかごの全移動距離を所定の移動距離範囲ごとに複数の送信出力を定め、かご位置情報のかご移動距離に基づいて何れかの送信出力を選択し、この選択した送信出力のもとに前記送信機を調整することもでき、これにより送信出力の制御を簡素化することができる。
【００２１】
【発明の実施の形態】
以下、本発明の実施の形態について図面を参照して説明する。
【００２２】
（第１の実施の形態）
図１は本発明に係るエレベータ用情報伝送システムの第１の実施の形態を示す構成図である。
【００２３】
この情報伝送システムは、巻上機１に巻き掛けられたメインロープ２に吊下されているエレベータの乗りかご３の防犯が必要な場所、例えばかご天井などに取り付けられ、乗りかご内の状況を撮影する監視カメラ４と、乗りかご３外部に支持部材を介して併設され、監視カメラ４で撮影された映像情報をアナログ映像情報として光伝送する送信機５ａ及び光伝送により送られてくる別の映像情報を受信する受信機５ｂと、これら送信機５ａ及び受信機５ｂに対峙するように昇降路下部のピット付近又は乗りかご外部の昇降路上部付近に併設され、前記送信機５ａから光伝送されてくるアナログ映像情報を受信する受信機６ａ及び前記受信機５ｂに向けてデジタル情報を光伝送にて送信する送信機６ｂとが設けられている。
【００２４】
これら受信機６ａ及び送信機６ｂは、送信機６ａ及び受信機６ｂと互いに対峙する関係に設置されているだけでなく、乗りかご３の移動に伴って送受信方向が変化しない場所、例えば昇降路下部のピット付近の乗りかごガイド用レール、乗りかご外部の昇降路上部付近又は機械室近傍の昇降路上部の乗りかごガイド用レールなどに取り付けられる。
【００２５】
なお、送信機５ａ，６ｂは、例えば可視発光ダイオードや赤外発光ダイオード、半導体レーザーなどの固体発光デバイス、つまり発光素子などが使用され、テレビ・オーディオ関連で使用される遠隔操作器（リモコン）やネットワークのワイヤレスＬＡＮなどで使用される光無線機器としての機能をもっている。つまり、送信機５ａ，６ｂは、発光素子などを含んで所要の送信処理機能が設けられ、一方、受信機５ｂ，６ａは、受光素子などを含んで所要の受信処理機能，つまり送信機６ｂ，５ａから光伝送にて送られてくるアナログ映像情報から受信レベル信号を取り出し、この受信レベル信号から乗りかご３の移動方向及び移動距離を含むかご位置情報を計測する処理機能をもっている。つまり、受信機６ａ，５ｂで受信される受信レベルとしては、送・受信機６ｂ・６ａの設置位置を基準とし、乗りかご３が例えば上昇方向に移動したとすれば、送・受信機５ａ・５ｂが基準位置から徐々に遠ざかるので、受信機６ａ、５ｂでは下降傾斜する受信レベルを受信する。その結果、この受信レベルの下降傾斜からかご移動方向が上昇方向であることが分かり、また下降傾斜角度から速度が分かり、かつ、下降傾斜時間も検出できるので、これら角度と時間からかご移動距離を計測できる。従って、受信レベル信号から乗りかご３のかご移動方向及びかご移動距離を含むかご位置情報を計測できる。なお、このような受信処理機能は、受信機５ｂだけにもたせてもよい。
【００２６】
また、情報伝送システムには、乗りかご外部の昇降路上部付近、昇降路下部のピット付近もしくは基準階付近の管理人室内に設置され、受信機６ａで受信されるメッセージ情報を含む映像情報を記録する映像記録装置７、基準階などのエレベータホール又は監視センタ、監視室などに設置され、映像記録装置７に記録される監視カメラ４で撮影された映像情報を表示するかご外の映像表示機８等が設けられている。９は昇降路下部（ピット）、１０は基準階の乗場ドアである。なお、基準階とはエレベータ利用者が頻繁に乗りかごに乗り降りする階であって、建物の玄関に相当する階であるが、例えば建物の１階に玄関があるにも拘らず、エレベータの乗り降りが２階から始まる場合には２階が基準階となる。
【００２７】
次に、以上のようなシステムの動作について説明する。
【００２８】
今、乗りかご３が２階に着床し、この階で乗車した利用者が最上階を行先階として選択操作したか、又は既に最上階を行先階として登録している場合、エレベータ制御装置は、乗りかご３を最上階に運行するために巻上機１を駆動し、予め定める運行制御のもとに乗りかご３を上昇させる。
【００２９】
このとき、送信機５ａは、監視カメラ４で撮影された乗りかご３内の映像情報を送信するに際し、幾つかの伝送形態がある。
【００３０】
（１）  送信機５ａは、監視カメラ４で撮影された乗りかご３内の映像をアナログ映像情報とし、受信機６ａに向けて送信する。この受信機６ａは、受信されたアナログ映像情報の受信レベル信号そのもの、或いは受信レベル信号からかご位置情報を計測し、送信機６ｂに送出する一方、前記アナログ映像情報をそのまま或いはディジタル映像情報に変換し、映像記録装置７に記録する。
【００３１】
送信機６ｂは、受信機６ａから受信レベル信号又はかご位置情報を受け取ると、これら受信レベル信号又はかご位置情報をディジタル情報に変換し、受信機５ｂに向けて光伝送にて送信する。ディジタル情報に変換して送信する理由は、受信機６ａによる映像情報の受信時点のかご位置を表す受信レベル信号又はかご位置情報を送信することにあり、受信後の乗りかご３の移動による影響を受けないようにする為である。
【００３２】
前記受信機５ｂは、送信機６ｂからディジタル的な受信レベル信号又はかご位置情報を受信すると、送信機５ａに渡す。この送信機５ａは、受信レベル信号又はかご位置情報に基づき、受信機６ａが所要の受信条件，つまり受信強度で受信可能になるように、かご上昇に従って送信出力強度を増加する方向に制御する。よって、乗りかご３の移動に伴い、送信機５ａと受信機６ａとの伝送距離が随時変化しても、この受信機６ａで受信されたアナログ映像情報の受信レベル信号又は当該受信レベル信号から取得されるかご位置情報を送信機６ｂ及び受信機５ｂを経由し、送信機５ａにフィードバックすれば、送信機５ａと受信機６ａとの伝送距離が変化しても、受信機６ａは送信機５ａから送信されてくる映像情報を常に所定の受信強度で受信することができる。
【００３３】
（２）  また、送信機５ａが監視カメラ４で撮影された乗りかご３内の映像情報を送信するに際し、常時、送信機６ｂから所定の送信出力のパイロット信号を光伝送にて受信機５ｂに向けて送信すれば、受信機５ｂでは、受信されたアナログ的なパイロット信号の受信レベル信号そのもの、或いは受信レベル信号から取得されるかご位置情報を計測し送信機５ａに送ることができる。
【００３４】
よって、送信機５ａは、受け取った受信レベル信号又はかご位置情報に基づいて監視カメラ４で撮影された映像情報の送信出力強度を制御し、受信機６ａに向けて送信することができる。すなわち、送信機５ａは、乗りかご３が上部階に移動した場合、所要の受信条件となるように送信出力強度を増大させ、また乗りかご３が下部階に移動した場合、所要の受信条件となるように送信出力強度を低減する。
【００３５】
従って、この実施の形態によれば、常時所定レベルのアナログ的なパイロット信号を光伝送するので、前述する（１）よりも連続的、かつ、最適な受信条件となるように映像情報を送信でき、しかも映像情報を送信しない場合でもパイロット信号を受信しているので、突発的、或いは予め定める所定の時間のときに映像情報を送信する場合でも、最初の映像情報から最適に条件で送信することができる。
【００３６】
（３）  さらに、このシステムにおいては、予め乗りかごの全移動距離が決まっているので、全移動距離例えば１５０ｍを等移動距離（移動距離範囲）２５ｍごとに区分し、これら各移動距離範囲ごとに送信出力強度を定めておけば、かご位置情報から乗りかごがある移動距離範囲内に存在する場合、予め定めた送信出力強度を選択し、送信機５ａの送信出力強度の制御する構成であってもよい。
【００３７】
従って、このような構成においては、乗りかご３の移動に伴い、送信機５ａが受信機５ｂから受け取る連続的に変化する受信レベル信号又はかご位置情報に応じて連続的に送信出力強度を換えて映像情報を送る必要がなくなる。この場合には、受信した映像品質が多少低下するが、送信側の制御を大幅に簡素化できる。
【００３８】
（第２の実施の形態）
図２は本発明に係るエレベータ用情報伝送システムの第２の実施の形態を示す構成図である。なお、同図において、図１に示す部分と同一又は等価な部分には同一符号を付し、その詳しい説明は図１に譲る。
【００３９】
この情報伝送システムは、監視カメラ４、送信機５ａ及び受信機５ｂ、受信機６ａ及び送信機６ｂ、映像記録装置７、映像表示機８が設けられている点は図１と同様である。
【００４０】
このシステムにおいて、特に異なるところは、送信機６ｂにパソコンなどの映像発信機１１を接続し、また乗りかご３内に映像表示機１２を取り付けたことにある。つまり、外部の映像発信機１１から制御指示の他、メッセージ情報を含む映像情報を発生し、送信機６ｂから光伝送にて受信機５ｂに向けて送信し、映像表示機１２に表示し、また制御指示のもとにメッセージ情報を含む映像情報を受信機６ａを介して映像記録装置７に記録する構成である。
【００４１】
このシステムにおいては、外部の映像発信機１１から入力されるメッセージを含む映像情報を送信機６ｂから光伝送にて受信機５ｂに向けて送信すると、受信機５ｂは、受信した外部からのメッセージを含む映像情報を映像表示機１２に表示することが可能であり、また監視カメラ４で撮影された映像情報と外部の映像発信機１１から発生される制御指示を伴うメッセージを含む映像情報とを受信機６ａを経由しそれぞれ領域分けされた映像記録装置７に一旦保存し、所定の映像表示条件のもとにかご外の映像表示機８に表示するものである。
【００４２】
ここでいう所定の映像表示条件とは、例えば時間帯を分けて監視カメラ４の映像情報と外部からのメッセージを含む映像情報をかご外の映像表示機８に表示するとか、常時監視カメラ４の映像情報を映像表示機８に表示するが、外部からのメッセージを含む映像情報が届いた時に優先的に映像表示機８に表示するとか、或いは外部からメッセージを含む映像情報が届いた時に映像表示機８に表示し、一方、所定の操作条件のもとに保存されている監視カメラ４の映像情報を映像表示機８に表示するなど、ユーザの要求に応じた表示する。特に、基準階を含むエレベータホールに映像表示機８が設置されている場合、監視カメラ４の映像情報を直接表示することは好ましくないので、専ら外部の映像発信機１１から入力されるメッセージを含む映像情報を表示し、監視カメラ４の映像情報は別途監視センタ等に設置される映像表示機に表示するなど、使い分けて表示することも可能である。
【００４３】
ところで、このようなシステムにおいても、メッセージを含む映像情報を送信機６ｂから光伝送にて受信機５ｂに向けて送信する際し、乗りかご３の移動に伴って送信機６ｂと受信機５ｂとの伝送距離が変化してしまう。
【００４４】
そこで、前述のごとく送信機５ａから監視カメラ４で撮影されたアナログ映像情報が光伝送にて送信され、受信機６ａにてアナログ映像情報を受信しているので、送信機６ｂは、第１の実施の形態と同様にアナログ映像情報の受信レベル信号又は受信レベル信号から取得されるかご位置情報を受け取って受信機５ｂが最適な受信条件となるように送信出力強度に制御することが可能である。よって、送信機６ｂは、映像発信機１１から受け取るメッセージを含むディジタル映像情報を所要とする送信出力強度で送信するので、乗りかご３の移動に伴って送信機６ｂと受信機５ｂとの伝送距離の変化に対しても、映像のにじみ、ピントずれその他ノイズの影響等を低減し、階部からの映像を映像表示機１２に均一な映像品質で表示することができる。
【００４５】
従って、このような実施の形態によれば、乗りかご３の移動に伴って送信機６ｂと受信機５ｂとの伝送距離が変化したとしても、その伝送距離に応じて送信機６ｂの送信出力強度を制御するので、外部から入力されるメッセージを含むディジタル映像情報を鮮明な映像状態で映像表示機１２に表示できる。
【００４６】
なお、このシステムにおいても、前記第１の実施の形態の（２）で説明したように、予め送信機５ａに所定レベルのパイロット信号を発生する手段を設け、映像発信機１１から入力されるメッセージを含む映像情報を表示するに先立ち、例えば切替制御指示情報を送信し、受信機５ｂを介して送信機５ａに伝送し、当該送信機５ａからパイロット信号を発生するようにすれば、送信機６ｂは、受信機６ａを経由してパイロット信号の受信レベル信号又は受信レベル信号からかご位置情報を受け取ることができ、ひいては最適な送信出力強度でメッセージを含む映像情報を送信できる。
【００４７】
また、前記第１の実施の形態の（３）で説明したように、送信機６ｂ自体にかご全移動距離を複数の等移動距離に区分し、各移動距離範囲ごとに予め送信出力強度を定めておけば、受信機６ａから受け取る受信レベル信号又は受信レベル信号から取得されるかご位置情報のもとに、映像発信機１１から入力されるメッセージを含む映像情報を予め定める所要の送信出力強度出制御して送信することができる。
【００４８】
次に、図３は送信機５ａにて送信出力強度を決定する手順を説明する図である。
【００４９】
前述するように、受信機６ａは、送信機５ａから伝送されてくるアナログ映像情報から受信レベル信号を取り出し、この受信レベル信号からかご移動方向及びかご移動距離を含むかご位置情報を計算し送信機６ｂに渡す。
【００５０】
一方、送信機６ｂは、映像発信機１１からのメッセージを含む映像情報又は一定の送信出力強度のパイロット信号を受信機５ｂに向けて送信することは前述した通りである。
【００５１】
そこで、送信機６ｂとしては、メッセージを含む映像情報又はパイロット信号のアナログ情報に前述する受信機６ａから受け取ったかご位置情報をディジタル的に重畳し、図３に示すような光情報の束２０に変換し伝送すれば、受信機５ｂでは、受光素子５１ｂを介して送信機６ｂから送信される光情報を受信し、電気信号に変換される。そこで、受信機５ｂは、受信データの中のメッセージを含む映像情報又はパイロット信号から受信レベル信号５２ｂを取り出し、この受信レベル信号からかご移動方向及びかご移動距離を含むかご位置情報５３ｂを算出する。また、受信機５ｂは、受光素子５１ｂで受信される受信データの中にかご位置情報５４ｂが重畳されているので、当該かご位置情報５４ｂを抽出する。
【００５２】
ここで、受信機５ｂは、これら２つのかご位置情報５３ｂ、５４ｂに含まれるかご移動方向とかご移動距離（変化量）のうち、移動方向どうしを比較し（５５ｂ）、両かご移動方向が一致した場合、２つのかご移動距離の平均値を算出し（５６ｂ）、送信機５ａに送出する。なお、送信機５ａ自体が移動方向比較処理（５５ｂ）及び平均値算出処理（５６ｂ）を行ってもよい。
【００５３】
送信機５ａは、かご移動平均値に基づいて送信機５ａの送信出力強度を計算し、或いは既にテーブル（図示せず）に規定されるかご移動平均値に対する送信出力強度を算出し（６１ａ）、送信制御回路６２ａに送出する。この送信制御回路６２ａは、送信データである監視カメラ４で撮影された映像情報６３ａを送信するに際し、算出された送信出力強度となるように電流制御回路６４ａを制御し、発光素子６５ａを流れる電流を制御し、受信機６ａに向けて送信する。
【００５４】
なお、前記テーブルには、乗りかごの全移動距離を複数のかご移動距離範囲に区分し、各移動距離範囲ごとに送信出力強度を定めてもよいし、或いはかご移動距離の２乗に連続的に比例するように送信出力強度を制御する構成であってもよい。
【００５５】
また、前記実施の形態では、両移動方向の一致と平均値とから送信機５ａの送信出力強度を制御したが、例えば図３に示すように送信機５ａから映像情報を送信するとき、受信機５ａの受信レベル信号から計算により取得されるかご位置情報を重畳する構成とすれば、受信機６ａに併設される送信機６ｂ側においても図３と同様な手順で送信出力強度を制御することが可能である。
【００５６】
さらに、送信機５ａ，６ｂの送信出力強度を変化させるタイミングとしては、かご位置情報の取得と同時に送信出力強度を制御せずに、ある一定の時間だけ遅延させて制御すれば、唐突な変化を示すかご移動距離（変化量）の影響を排除又は平均化すれば、乗りかごの移動距離を正確、かつ安定に判断でき、精度の高い送信出力強度を得ることができる。
【００５７】
なお、本願発明は、上記実施の形態に限定されるものでなく、その要旨を逸脱しない範囲で種々変形して実施できる。
【００５８】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００５９】
【発明の効果】
以上説明したように本発明によれば、エレベータ乗りかごの移動に伴って伝送距離が変化しても、安定した状態でエレベータ用情報を伝送でき、所要とする映像品質をもつエレベータ用情報を表示できるエレベータ用情報伝送システムを提供できる。
【図面の簡単な説明】
【図１】本発明に係るエレベータ用情報伝送システムの第１の実施の形態を示す構成図。
【図２】本発明に係るエレベータ用情報伝送システムの第２の実施の形態を示す構成図。
【図３】受信機と送信機との機能構成を説明する図。
【符号の説明】
１…巻上機、２…ロープ、３…乗りかご、４…監視カメラ、５ａ，６ｂ…送信機、５ｂ，６ａ…受信機、７…映像記録装置、８…かご外映像表示機、９…昇降路下部、１１…映像発信機、１２…かご内映像表示機。
【図１】
2005047650.tif 000003
【図２】
2005047650.tif 000004
【図３】
2005047650.tif 000005